(57)【要約】      （修正有）【課題】使用者が持って移動することができる水素水容器を提供する。【解決手段】水素水容器であって、水を収容できるように形成されている容器本体４と、容器本体４の外壁面に入り口４２が形成され、内壁面の入り口４２より低い位置に出口４３が形成され、且つ容器本体４の壁肉内に形成され入り口４２と出口４３とを連通する通気路４４と、容器本体４内に、通気路４４の出口４３と接続するように設置されていて通気路４４を経由して導入する水素を微細バブルにして容器本体４に収容される水に放出する微細バブル生成部７と、使用者が容器本体４を持って移動する際に、容器本体４に収容される水が入り口４２からこぼれないように、入り口４２を塞ぐことができる栓５と、からなっている。【選択図】図２
0003212264.tif 000002
【実用新案登録請求の範囲】
【請求項１】
使用者が持って移動することができる水素水容器であって、
水を収容できるように形成されている容器本体と、
前記容器本体の外壁面に入り口が形成され、内壁面の前記入り口より低い位置に出口が形成され、且つ前記容器本体の壁肉内に形成され前記入り口と前記出口とを連通する通気路と、
前記容器本体内に、前記通気路の前記出口と接続するように設置されていて前記通気路を経由して導入する水素を微細バブルにして前記容器本体に収容される水に放出する微細バブル生成部と、
使用者が前記容器本体を持って移動する際に、前記容器本体に収容される水が前記入り口からこぼれないように、前記入り口を塞ぐことができる栓と、からなっていることを特徴とする水素水容器。
【請求項２】
前記容器本体は、底壁と、前記底壁の周縁から上へ延伸した周壁と、からなっており、
前記通気路は、前記入り口が前記周壁の外壁面に形成され、前記出口が前記底壁の内壁面に形成されるように前記容器本体の前記壁肉内に形成されており、
前記微細バブル生成部は、
多孔性のもので、前記容器本体内から一部が前記出口に挿入していて前記通気路で導入する水素を微細化できるエアストーンと、
水平方向に移動できないように前記周壁の内壁面に当接し、且つ、前記出口外に露出している前記エアストーンの周面の一部を外嵌していて前記エアストーンを前記出口に固定している位置制限手段と、により構成されていることを特徴とする請求項１に記載の水素水容器。
【請求項３】
前記容器本体は、透明の材料で構成されており、また、
光を発することにより前記容器本体の視覚的な雰囲気を変化させる照明装置を更に備えていることを特徴とする請求項１または請求項２に記載の水素水容器。
【請求項４】
前記照明装置は、前記容器本体が上方に置ける台座と、光を前記容器本体に照射できるように前記台座内に設置されている発光ダイオード照明具と、により構成されていることを特徴とする請求項３に記載の水素水容器。
【考案の詳細な説明】
【技術分野】
【０００１】
本考案は水素水容器に関する。
【背景技術】
【０００２】
人体では毎日ラジカルが発生しているという研究結果が発表され、そして、ラジカルは、不対電子をもつ原子や分子であり、様々な物質に対して化学反応をもたらすことから、人体の細胞に損傷を与えたり、酸化脂質が生じて細胞の老化を加速させたりといった人体に対する有害性が指摘されている。
【０００３】
水素は還元剤としてラジカルと反応するので、人体内のラジカルを消去して、ラジカルが人体の細胞に損傷を与えることを防止できる。また、水素は抗酸化作用を有し、人体内の酸化反応を緩和して細胞の老化と酸化脂質の生成とを抑える効果を持つとされている。
【０００４】
水素は更に、敗血症性ショックを治療する効果と、外傷、器官移植などの損傷の回復を促進する効果と、炎症を抑制する効果と、脳細胞の破損を抑えてパーキンソン病などを予防または治療する効果と、を有するともされている。従って、水素を摂取することは人体に有益な効果がある。
現在、人が水素を摂取する方法として、例えば呼吸で直接吸入する方法または水素が溶解されている水素水を飲む方法が挙げられている。
【０００５】
従来の水素水製造装置は、例えば、図１に示されるように、水を収容することができる液体収容空間１１１を形成するように構成されている容器１１と、水素を製造する水素製造装置１３と、水素製造装置１３により製造される水素を容器１１の液体収容空間１１１に収容される水内に導く送気管１２と、を備えて、水素製造装置１３により製造される水素が送気管１２を通じて、容器１１に収容される水に放出すると、水素が水に溶解して水素水を製造する水素水製造器１が開発されている。
【０００６】
しかし、該水素水製造装置１の容器１１は、大量の水素水を製造するために、体積がとても大きく、密封性が高くない。該水素水製造装置１の容器１１内に収容されている水素水を使用する際に、水素水を小さい容器に分ける必要があるので、その際に、水に溶解した水素が溶出し、水素水の濃度が下がる欠点がある。
【考案の概要】
【考案が解決しようとする課題】
【０００７】
上記問題点に鑑みて、本考案は、使用者が携帯できる水素水容器の提供を目的とする。
【課題を解決するための手段】
【０００８】
上記目的を達成すべく、本考案は、使用者が持って移動することができる水素水容器であって、水を収容できるように形成されている容器本体と、前記容器本体の外壁面に入り口が形成され、内壁面の前記入り口より低い位置に出口が形成され、且つ前記容器本体の壁肉内に形成され前記入り口と前記出口とを連通する通気路と、前記容器本体内に、前記通気路の前記出口と接続するように設置されていて前記通気路を経由して導入する水素を微細バブルにして前記容器本体に収容される水に放出する微細バブル生成部と、使用者が前記容器本体を持って移動する際に、前記容器本体に収容される水が前記入り口からこぼれないように、前記入り口を塞ぐことができる栓と、からなっていることを特徴とする水素水容器。
【考案の効果】
【０００９】
上記構成により、本考案の水素水容器は、水素を導入するための通気路を備えるので、水素を導入すると、水素水を製造できる。そして、通気路の入り口を塞ぐことができる栓を備えるので、使用者が容器本体を持って移動しても、容器本体に収容される水がこぼれることなく、携帯することに好適である。
【図面の簡単な説明】
【００１０】
【図１】従来の水素水製造装置を示す断面図である。
【図２】本考案の水素水容器の実施形態を示す部品分解図である。
【図３】上記水素水容器の実施形態を示す断面図である。
【図４】本考案の水素水容器の他の実施形態を示す斜視図である。
【考案を実施するための形態】
【００１１】
以下、図面を参照しながら、本考案に係る水素水容器の実施形態について詳しく説明する。
【００１２】
本考案の実施形態において水素水容器は、図２に示されるように、使用者が持って移動することができる水素水容器であって、容器本体４と、栓５と、照明装置６と、微細バブル生成部７とからなっている。以下、各部材を詳説する。
【００１３】
容器本体４は、図２に示されるように、透明の材料で、水を収容できるように形成されているものであって、底壁４５と、底壁４５の周縁から上へ延伸した周壁４１とからなっている。容器本体４は、周壁４１の外壁面に入り口４２が形成され、入り口４２より低い位置である底壁４５の内壁面に出口４３が形成される。また、容器本体４の壁肉内には、入り口４２と出口４３とを連通し外部から容器本体４に収容される水に水素を導入するための通気路４４を備える。
【００１４】
この実施形態において、図２及び図３に示されるように、容器本体４は、周壁４１の上方に流出口４１１が形成され、且つ、流出口４１１を密封できる蓋４６を更に備える。
【００１５】
なお、図４に示されるように、蓋４６は、流出口４１１を密封せずに、水が流出口４１１の蓋４６にカバーされていないところから流出できるように形成することもできる。
【００１６】
微細バブル生成部７は、図２及び図３に示されるように、位置制限手段７１と、エアストーン７２と、により構成されて、容器本体４内に、通気路４４の出口４３と接続するように設置されていて通気路４４を経由して導入する水素を微細バブルにして容器本体４に収容される水に放出するものである。
【００１７】
エアストーン７２は、多孔性のもので、容器本体４内から一部が出口４３に挿入していて通気路４４で導入する水素を微細化できる。位置制限手段７１は、水平方向に移動できないように周壁４１の内壁面に当接し、且つ、出口４３外に露出しているエアストーン７２の周面の一部を外嵌していてエアストーン７２を出口４３に固定している。
【００１８】
この実施形態において、位置制限手段７１は、図３に示されるように、中央にエアストーン７２の周面の下半部を外嵌する孔が貫通されている六面体に形成されている。
【００１９】
栓５は、図２に示されるように、使用者が容器本体４を持って移動する際に、容器本体４に収容される水が入り口４２からこぼれないように、入り口４２を塞ぐことができるように構成されている。
【００２０】
照明装置６は、図２に示されるように、光を発することにより容器本体４の視覚的な雰囲気を変化させるものであって、容器本体４が上方に置ける台座６１と、光を容器本体４に照射できるように台座６１内に設置されている発光ダイオード照明具６２と、により構成されている。
【００２１】
台座６１の容器本体４が置かれる面の少なくとも一部は、発光ダイオード照明具６２から発する光が容器本体４に照射できる透明部分になっている。
【００２２】
この実施形態において、発光ダイオード照明具６２は、図３に示されるように、環状の照明具に構成されている。
【００２３】
この構成によれば、本考案の水素水容器は、水素を導入するための通気路４４を備えるので、水素を導入すると、水素が提供されると水素水を製造できる上、通気路４４の入り口４２を塞ぐことができる栓５を備えるので、使用者が容器本体４を持って移動しても、容器本体４に収容される水が入り口４２からこぼれ落ちることなく、携帯することに好適である。
【００２４】
本考案の水素水容器を用いて水素水を製造する際に、先ず、容器本体４内に水を注入し、そして、栓５を入り口４２から外して、図３に示されるように、水素提供装置２の送気管が入り口４２に接続することにより、容器本体４に水素を提供する。水素が通気路４４を通じて出口４３に挿入しているエアストーン７２により微細バブルにして容器本体４に収容される水に放出すると、水素が水に溶解して水素水を得る。
【００２５】
水素がエアストーン７２により微細バブルになると、水との接触面積が増えて、水に溶解するスピードが上がる効果がある。
【００２６】
また、通気路４４の出口４３が容器本体４の底壁４５の内壁面に形成されることにより、エアストーン７２から放出された水素は水面まで浮き上がる際の移動距離が長くなるので、水素が水内に滞在する時間を長くすることができ、このため水に溶解する量も多くできる。更に、水素が水面まで浮き上がることにより、水を攪拌する作用があるので、水内の水素濃度を均一にする効果がある。
【００２７】
なお、水素水を製造する際に、照明装置６で容器本体４を照射すると、光が微細バブルになった水素に照射することにより、特別な照明効果が生じて、視覚的な雰囲気が変化する。
【００２８】
水素水を製造した後、蓋４６と栓５で、流出口４１１と入り口４２を塞いで、使用者が本考案の水素水容器の容器本体４で水素水を携帯して、いつでも水素水を飲用できる。
【産業上の利用可能性】
【００２９】
本考案の水素水容器は、水素水を製造できる上、通気路の入り口を塞ぐことができる栓を備えるので、使用者が容器本体を持って移動しても、容器本体に収容される水が入り口からこぼれ落ちることなく、携帯することに好適である。
【符号の説明】
【００３０】
２  水素提供装置
４  容器本体
４１  周壁
４１１  流出口
４２  入り口
４３  出口
４４  通気路
４５  底壁
４６  蓋
５  栓
６  照明装置
６１  台座
６２  発光ダイオード照明具
７  微細バブル生成部
７１  位置制限手段
７２  エアストーン
【図１】
0003212264.tif 000003
【図２】
0003212264.tif 000004
【図３】
0003212264.tif 000005
【図４】
0003212264.tif 000006